(57)【要約】      （修正有）【課題】段積みされたロール製品に衝撃が加わった場合でも荷崩れを防ぐことができ、しかも従来型のプロテクターを用いることができる段積み用アダプターを提供する。【解決手段】ロール製品用プロテクターを装着したロール製品を段積みするためのアダプター１であって、外形がロール製品用プロテクターの端面と略同一形状の基板部２と、基板部２の周縁から立設される上側嵌着部３と、基板部２の周縁から垂設される下側嵌着部４とを有することを特徴とする。【選択図】図１
0003160078.tif 000002
【実用新案登録請求の範囲】
【請求項１】
ロール製品用プロテクターを装着したロール製品を段積みするための一対のアダプターであって、
外形がロール製品用プロテクターの端面と略同一形状の基板部と、
基板部の周縁から立設される上側嵌着部と、
基板部の周縁から垂設される下側嵌着部とを有することを特徴とする段積み用アダプター。
【請求項２】
上側嵌着部はロール製品用プロテクターの端縁に密嵌され、下側嵌着部は前記端縁に遊嵌されることを特徴とする請求項１に記載の段積み用アダプター。
【請求項３】
上側嵌着部の上端部内側にテーパー状拡開部が設けられていることを特徴とする請求項２に記載の段積み用アダプター。
【考案の詳細な説明】
【技術分野】
【０００１】
本考案は、ロール製品用プロテクターを装着したロール製品を積み重ねるための段積み用アダプターに関し、更に詳しくは、段積み用の凹凸等が設けられていない従来型のロール製品用プロテクターが装着されている場合であっても、ロール製品を効率よく段積みすることができる段積み用アダプターに関する。
【背景技術】
【０００２】
従来より、プラスチックフィルム、紙等の帯状製品を輸送、保管する場合には、図５に示すように、これらの帯状製品Ｒ１を芯材Ｒ２に巻回してロール製品Ｒを形成し、輸送、保管中にロール製品Ｒの周囲が汚れたり傷付いたりするのを防止するため、ロール製品Ｒにロール製品用プロテクター（以下、単にプロテクターと称することがある）Ｐを組み付けて輸送、保管していた。
この従来のプロテクターＰは、例えば、方形のベニヤ板製又は合成樹脂製の側板Ｐ１の中心付近に設けた軸孔に合成樹脂製でハット型支軸Ｐ２を挿通してなるもので、ロール製品Ｒの両端面を一対の側板Ｐ１で挟持するとともに、ハット型支軸Ｐ２を芯材Ｒ２の中空孔に挿入してロール製品Ｒを支持している。またこのようなプロテクターＰを装着したロール製品Ｒを保管する際には、図６に示すように、ロール製品Ｒに装着されたプロテクターＰの上側の端縁に、別のロール製品Ｒに装着されたプロテクターＰを載置して段積みされていた。
【０００３】
しかし、上記従来型のプロテクターＰでは、前記側板Ｐ１の端縁は平坦なので、この上に別のロール製品Ｒに装着されたプロテクターＰを載置すれば、図７に示すように、何かの弾みでこのロール製品に衝撃が加わった際に上下のプロテクターＰ間にズレが生じ、上側のプロテクターＰが下側のプロテクターＰの端縁から滑り落ちてしまうことがあり、これにより帯状製品Ｒ１の周面が破損し、商品価値を著しく減ずるなどの問題がある。
【０００４】
このような問題を解決するため、例えば特許文献１に示されたような、端縁部に凹凸が設けられたプロテクターを用い、これらのプロテクターの凹凸を係合させることにより、上側に積み上げたロール製品の落下を防ぐことが提案されている。しかしながら、このような係合用の凹凸が設けられたプロテクターは、従来型の凹凸がないプロテクターと一緒に使用することはできない。従って、従来型のプロテクターを全て廃棄した上で凹凸があるプロテクターと入れ替える必要があるが、従来型のプロテクターを廃棄するのは極めて不経済であるばかりでなく、従来型のプロテクターは既に大量に使用されているので、入れ替えに多大なコストと手間が必要となる。
【先行技術文献】
【特許文献】
【０００５】
【特許文献１】特開平１−２９４４５６号公報
【考案の概要】
【考案が解決しようとする課題】
【０００６】
本考案は、かかる実情に鑑み、段積みされたロール製品に衝撃が加わった場合でも荷崩れを防ぐことができ、しかも従来型のプロテクターと共に用いることができる段積み用アダプター（以後、単にアダプターと称することがある）を提供することを目的とする。
【課題を解決するための手段】
【０００７】
上記目的を達成するための本考案の請求項１は、ロール製品用プロテクターを装着したロール製品を段積みするための一対のアダプターであって、外形がロール製品用プロテクターの端面と略同一形状の基板部と、基板部の周縁から立設される上側嵌着部と、基板部の周縁から垂設される下側嵌着部とを有することを特徴とする段積み用アダプターを内容とする。
【０００８】
本考案の請求項２は、上側嵌着部はロール製品用プロテクターの端縁に密嵌され、下側嵌着部は前記端縁に遊嵌されることを特徴とする請求項１に記載の段積み用アダプターを内容とする。
【０００９】
本考案の請求項３は、上側嵌着部の上端部内側がテーパー状に拡開されていることを特徴とする請求項２に記載の段積み用アダプターを内容とする。
【考案の効果】
【００１０】
本考案の段積み用アダプターは、ロール製品用プロテクターの端面と略同一形状の基板部と、基板部の周縁から立設される上側嵌着部と、基板部の周縁から垂設される下側嵌着部とを有するので、上側及び下側の嵌着部がロール製品に装着されたプロテクターの端面に嵌着されることにより上下のプロテクターを接続し、これにより積み上げられたロール製品の荷崩れを防ぐことができる。従って、ロール製品の保管や輸送の安全性及び効率が大巾に高められる。
【００１１】
上側嵌着部をプロテクターの端縁に密嵌される寸法とし、下側嵌着部を前記端縁に遊嵌される寸法とすれば、積み上げられたロール製品のうちひとつを持ち上げる際に、接続された二つのプロテクターを簡単に分離させることができ、且つ、アダプターは分離させたプロテクターのいずれかに嵌着されたままなので、アダプターを紛失する恐れもない。
【００１２】
上側嵌着部の上端部内側にテーパー状拡開部を設ければ、プロテクターの端縁に密嵌される寸法であっても、テーパー状の拡開部に誘導されアダプターを容易にプロテクターに嵌着することができる。
【図面の簡単な説明】
【００１３】
【図１】図１は本考案のアダプターの実施例１を示す図であり、（ａ）は正面図、（ｂ）は側面図、（ｃ）は（ｂ）のＡ−Ａ断面図、（ｄ）は斜視図である。
【図２】図２は実施例１のアダプターを使用してロール製品を段積みした状態を示す概略断面図である。
【図３】図３は本考案のアダプターの実施例２を示す図であり、（ａ）は正面図、（ｂ）は側面図、（ｃ）は（ａ）のＢ−Ｂ断面図、（ｄ）は（ｂ）のＣ−Ｃ断面図である。
【図４】図４は本考案のアダプターの実施例３を示す図であり、（ａ）は正面図、（ｂ）は側面図、（ｃ）は（ｂ）のＤ−Ｄ断面図である。
【図５】図５は本考案のアダプターを用いて段積み可能な、プロテクターが装着されたロール製品を示す部分断面図である。
【図６】図６は図５のロール製品を本考案のアダプター使用せずに積み上げた状態を示す説明断面図である。
【図７】図７は図６の積み上げた状態において、上下プロテクター間にズレが生じた状態を示す説明断面図である。
【考案を実施するための形態】
【００１４】
本考案は、ロール製品用プロテクターを装着したロール製品を段積みするためのアダプターであって、図１に示すように、ロール製品用プロテクターＰの端面と略同一形状の基板部２と、基板部２の周縁から立設される上側嵌着部３と、基板部２の周縁から垂設される下側嵌着部４とを有することを特徴とする。
本考案の段積み用アダプター１は一対で用いられ、図２に示すように、積み重ねられたロール製品Ｒに装着されたプロテクターＰの間に介設して用いる。即ち、アダプター１の上側嵌着部３及び下側嵌着部４に、積み重ねられたプロテクターＰの端縁をそれぞれ挿入して、プロテクターＰの端縁にアダプター１を嵌着することにより、プロテクターＰ同士を接続し、これによりロール製品Ｒの荷崩れを防ぐ。
なお、本考案における嵌着部の上側、下側とはアダプター１内での方向を示しているに過ぎず、例えばアダプター１を上下逆にしてロール製品Ｒの段積みに用いることも可能である。
【００１５】
本考案の段積み用アダプター１の材質は特に限定されず、金属、木、紙、樹脂等が挙げられるが、成形がしやすく、軽量である点で樹脂が好ましく、例えば、例えば、ＡＢＳ樹脂（アクリロニトリル−ブタジエン−スチレン共重合樹脂）、ＡＡＳ樹脂（アクリロニトリル／アクリルゴム／スチレン樹脂）、ＡＥＳ樹脂（アクリロニトリル／エチレンプロピレンゴム／スチレン樹脂）、ＡＳ樹脂（アクリロニトリル／スチレン樹脂）、ＰＳ樹脂（ポリスチレン樹脂）、ＰＭＭＡ樹脂（ポリメチルメタクリレート樹脂）、ＰＶＣ樹脂（ポリ塩化ビニリデン樹脂）、ＭＳ樹脂（メチルメタクリレート／スチレン樹脂）、ＰＰ樹脂（ポリプロピレン樹脂）、ＰＥ樹脂（ポリエチレン樹脂）、ＰＢＴ樹脂（ポリブチレンテレフタレート樹脂）およびＰＣ樹脂（ポリカーボネート樹脂）等が使用可能である。また、ポリ乳酸、ポリブチレンサクシネート、ポリアミド１１、ポリヒドロキシ酪酸等の生分解性プラスチック、バイオマスプラスチックも使用可能である。
【００１６】
本考案において、基板部２は外形がプロテクターＰの端面と略同一形状の板状部材であり、本考案のアダプター１の内部を仕切って一方の嵌着部（例えば上側嵌着部３）と他方の嵌着部（例えば下側嵌着部４）とを区画するものである。
基板部２は外形がプロテクターＰの端面と略同一形状であれば他は限定されず、図１に示した実施例１のように孔がない形状でもよいし、図３に示した実施例２のようにプロテクターＰが通過しない程度の大きさの透孔５を設けてもよい。このような透孔５を設けることにより、材料の節約とアダプター１の軽量化が図られる。
なお、プロテクターＰの端面は縦横比が１：１０以上の長矩形であることが多いので、基板部２の形状もこれに準じた長矩形になる場合が多い。具体的な大きさは使用するプロテクターＰの大きさに応じて適宜定めればよい。
【００１７】
本考案において、上側嵌着部３は基板部２の周縁から立設される壁状部材からなり、下側嵌着部４は基板部２の周縁から垂設される壁状部材からなる。本考案の使用時には、プロテクターＰの端部はこれら上側嵌着部３及び下側嵌着部４における壁状部材で囲まれた部分に挿入されて嵌め込まれ、これにより上下に積み重ねられたプロテクターＰが接続され、積み重ねられたロール製品Ｒの荷崩れが防止される。
上側嵌着部３及び下側嵌着部４はプロテクターＰの端部を囲む形状であれば他は限定されず、図１に示した実施例１のように孔がない壁状部材を枠状に連設した形状でもよいし、図３に示した実施例２のようにアダプターの強度が過度に弱くならない程度の透孔５を壁状部材に設け、材料の節約と軽量化を図ることもできる。
【００１８】
上側嵌着部３及び下側嵌着部４の大きさはプロテクターＰの端縁の大きさに応じて適宜定められる。プロテクターＰの端縁を挿入したときの密着度は特に限定されず、上側嵌着部３及び下側嵌着部４共に遊嵌でもいいし、共に密嵌でもよく、また、一方を遊嵌、他方を密嵌でもよい。一方を遊嵌とし、他方を密嵌とする場合は、上側嵌着部３をプロテクターＰの端縁に密嵌され、下側嵌着部４をプロテクターＰの端縁に遊嵌されるように設計するのが好ましい。このようにすれば、本考案のアダプター１で接続されたプロテクターＰを殆ど抵抗がなく分離させることができるので、積み重ねられたロール製品を分離して持ち上げるのも極めて容易である。さらに、分離させた後でも、アダプター１は上側嵌着部３に挿入されたプロテクターＰに嵌着されたままであるので、紛失するおそれもない。
尚、密嵌の方法としては、上側、下側嵌着部の寸法を密嵌できる寸法とする、上側、下側嵌着部の内側に突起等を設ける、等が挙げられる。
【００１９】
上側嵌着部３をプロテクターＰの端縁に密嵌される寸法とする場合、図４の実施例３に示すように、上側嵌着部３の上端部内側をテーパー状に拡開する方が好ましい。このようにすれば、プロテクターＰの端縁をテーパー状拡開部６に沿って挿入できるので上側嵌着部３に挿入するのが容易になり、アダプター１をプロテクターＰに嵌着する作業性が高められる。勿論、必要に応じ、下側嵌着部４も同様に上端部内側をテーパー状拡開部とすることもできる。
また、上側嵌着部３とプロテクターＰとの摩擦力を増大させ、アダプター１が容易にプロテクターＰから外れないようにするため、上側嵌着部３を下側嵌着部４よりも大きくするほうが好ましい。その場合、上側嵌着部３がロール製品Ｒと当接して帯状製品Ｒ１を破損する恐れがあるので、図４に示したように、上側嵌着部３の上部をプロテクターＰの透孔を中心とする円弧状に切り欠いて、ロール製品Ｒと上側嵌着部３の当接を防ぐのが好ましい。勿論、必要に応じ、下側嵌着部４も同様に円弧状に切り欠くこともできる。
【００２０】
以上、本考案の段積み用アダプターを単体について説明したが、必要に応じ、複数個を横方向に連設して、プロテクターが装着されたロール製品の複数個を同時に段積みすることも可能である。
また、プロテクターＰは図示したものに限られず、例えば、側板Ｐ１とハット型支軸Ｐ２が一体化された形状のものも用いられる。
【産業上の利用可能性】
【００２１】
叙上のとおり、本考案の段積み用アダプターは、段積みされたロール製品に衝撃が加わった場合でも荷崩れを防ぐことができ、しかも従来型のプロテクターと共に用いることができるので、ロール製品の保管や輸送の安全性及び効率を大巾に高めることができ、極めて有用性が高いものである。
【符号の説明】
【００２２】
１  段積み用アダプター
２  基板部
３  上側嵌着部
４  下側嵌着部
５  透孔
６  テーパー状拡開部
Ｒ  ロール製品
Ｒ１  帯状製品
Ｒ２  芯材
Ｐ  ロール製品用プロテクター
Ｐ１  側板
Ｐ２  ハット型支軸
【図１】
0003160078.tif 000003
【図２】
0003160078.tif 000004
【図３】
0003160078.tif 000005
【図４】
0003160078.tif 000006
【図５】
0003160078.tif 000007
【図６】
0003160078.tif 000008
【図７】
0003160078.tif 000009